(57)【要約】【課題】大画面パネルであってもフレキシブル配線基板の断線の恐れのない、品質のよいプラズマディスプレイ装置を提供する。【解決手段】パネルの電極を駆動するＩＣチップ７０とＩＣチップ７０の出力を電極に伝達するための導線６２とを有するフレキシブル配線基板５２を備えたプラズマディスプレイ装置であって、フレキシブル配線基板５２は導線６２を横断する方向に折り曲げ溝５６を有するとともに、導線６２を横断しない方向に複数のスリット５４を有することを特徴とする。【選択図】図４
2008298828.tif 000002
【特許請求の範囲】
【請求項１】
プラズマディスプレイパネルの電極を駆動するＩＣチップと前記ＩＣチップの出力を前記電極に伝達するための導線とを有するフレキシブル配線基板を備えたプラズマディスプレイ装置であって、
前記フレキシブル配線基板は、前記導線を横断する方向に折り曲げ溝を有するとともに、前記導線を横断しない方向に複数のスリットを有することを特徴とするプラズマディスプレイ装置。
【請求項２】
前記フレキシブル配線基板は、前記スリットの先端から少なくとも１ｍｍ内側の位置に前記折り曲げ溝を有することを特徴とする請求項１に記載のプラズマディスプレイ装置。
【請求項３】
前記フレキシブル配線基板は、前記スリットの端部を囲む形状の補強部材を有することを特徴とする請求項１に記載のプラズマディスプレイ装置。
【請求項４】
前記電極はデータ電極であり、前記フレキシブル配線基板は前記データ電極を駆動するＩＣチップを有するフレキシブル配線基板であることを特徴とする請求項１に記載のプラズマディスプレイ装置。
【発明の詳細な説明】
【技術分野】
【０００１】
本発明は、プラズマディスプレイパネルを用いた画像表示装置であるプラズマディスプレイ装置に関する。
【背景技術】
【０００２】
プラズマディスプレイパネル（以下、単に「パネル」と略記する）を用いたプラズマディスプレイ装置は、視野角が広く大画面化が容易であり、かつ自発光型であり画像表示品質が高いこと等から大画面画像表示装置の主流となりつつある。
【０００３】
パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間には、例えばキセノンを含む放電ガスが封入されている。ここで表示電極対とデータ電極との対向する部分に放電セルが形成される。
【０００４】
このようなパネルを用いてプラズマディスプレイ装置を構成するために、パネルには、各電極に駆動電圧を印加するためのフレキシブル配線基板（以下、「ＦＰＣ」と略記する）が接続される。特にデータ電極に駆動電圧を印加するためのＦＰＣには、データ電極のそれぞれを駆動するためのＩＣチップが搭載されている。このように電極を駆動するＩＣチップをＦＰＣに搭載したものを特にモジュールと呼ぶ。データ電極用のモジュールには、ＩＣチップの出力をデータ電極に伝達するための出力端子、および駆動回路の信号をＩＣチップに入力するための入力端子が形成されており、出力端子はパネルのデータ電極の電極引出部のそれぞれに異方導電性接着剤等を介して電気的に接続される。
【０００５】
ここで、データ電極を駆動するＩＣチップは温度が高くなるので、熱抵抗が十分小さくなるように考慮して実装する必要がある。そこで、このＩＣチップを搭載したモジュールとして、放熱のための放熱板を取り付けた構造が開示されている。そしてその放熱板にはＩＣチップが嵌り込む凹部が設けられており、かつその凹部に熱伝導性部材を充填することにより小さな熱抵抗を実現することができる（例えば、特許文献１参照）。そしてこれらのモジュールの放熱板は、例えば金属製のシャーシにビス等を用いて固定して取り付けられる。
【特許文献１】特開２００５−３３８７０６号公報
【発明の開示】
【発明が解決しようとする課題】
【０００６】
このように、モジュールの一方はパネルに接続され、もう一方はシャーシに取り付けられている。そのため熱膨張等によりパネルとシャーシとの間に位置ずれが発生するとＦＰＣが捩れてＦＰＣに大きなストレスが加わることがあった。
【０００７】
近年は、パネルの大画面化が進み、パネルとシャーシとの間の位置ずれが大きくなる傾向があり、ＦＰＣに加わるストレスも大きくなってきている。そのためＦＰＣに亀裂が発生し、断線が発生する可能性が高まりつつある。
【０００８】
本発明はこのような課題に鑑みなされたものであり、大画面パネルであってもＦＰＣの断線の恐れのない、品質のよいプラズマディスプレイ装置を提供することを目的とする。
【課題を解決するための手段】
【０００９】
本発明は、パネルの電極を駆動するＩＣチップとＩＣチップの出力を電極に伝達するための導線とを有するＦＰＣを備えたプラズマディスプレイ装置であって、ＦＰＣは導線を横断する方向に折り曲げ溝を有するとともに、導線を横断しない方向に複数のスリットを有することを特徴とする。この構成により、大画面パネルであってもＦＰＣの断線の恐れのない、品質のよいプラズマディスプレイ装置を提供することができる。
【００１０】
また本発明のプラズマディスプレイ装置のＦＰＣは、スリットの先端から少なくとも１ｍｍ内側の位置に折り曲げ溝を有することが望ましい。
【００１１】
また本発明のプラズマディスプレイ装置のＦＰＣは、スリットの端部を囲む形状の補強部材を有してもよい。この構成により、ＦＰＣのスリットの部分で亀裂が発生するのを防ぐことができる。
【００１２】
また本発明のプラズマディスプレイ装置の前記電極はデータ電極であり、前記ＦＰＣはデータ電極を駆動するＩＣチップを有するＦＰＣであってもよい。
【発明の効果】
【００１３】
本発明によれば、大画面パネルであってもＦＰＣの断線の恐れのない、品質のよいプラズマディスプレイ装置を提供することが可能となる。
【発明を実施するための最良の形態】
【００１４】
以下、本発明の実施の形態におけるプラズマディスプレイ装置について、図面を用いて説明する。
【００１５】
（実施の形態）
図１は、本発明の実施の形態に用いるパネルの要部を示す分解斜視図である。パネル１０は、ガラス製の前面基板２１と背面基板３１とを対向配置して、その間に放電空間を形成するように構成されている。前面基板２１上には走査電極２２と維持電極２３とからなる表示電極対２４が複数形成されている。そして、表示電極対２４を覆うように誘電体層２５が形成され、誘電体層２５上には保護層２６が形成されている。また、背面基板３１上には複数のデータ電極３２が形成され、そのデータ電極３２を覆うように誘電体層３３が形成されている。誘電体層３３上には井桁状の隔壁３４が設けられている。また、誘電体層３３の表面および隔壁３４の側面に蛍光体層３５が設けられている。そして、表示電極対２４とデータ電極３２とが交差する方向に前面基板２１と背面基板３１とを対向配置しており、その間に形成される放電空間には、放電ガスとして、例えばネオンとキセノンの混合ガスが封入されている。なお、パネル１０の構造は上述したものに限られるわけではなく、例えばストライプ状の隔壁を備えたものであってもよい。
【００１６】
図２は、本発明の実施の形態に用いるパネル１０の電極配列図である。行方向に長いｎ本の走査電極２２およびｎ本の維持電極２３が配列され、列方向に長いｍ本のデータ電極３２が配列されている。そして、１対の走査電極２２および維持電極２３と１つのデータ電極３２とが交差した部分に放電セルが形成され、放電セルは放電空間内にｍ×ｎ個形成されている。
【００１７】
各電極の数はパネルの仕様により異なるが、６５吋のハイビジョン仕様のパネルでは、例えばｎ＝１０８０、ｍ＝５７６０であり、１０８０対の表示電極対２４、５７６０本のデータ電極３２を有し、１０８０×５７６０＝６２２０８００個の放電セルが形成されている。またこのときのパネル１０の寸法は、例えば、縦＝８７０ｍｍ、横＝１５００ｍｍである。
【００１８】
図３は、本発明の実施の形態に用いるパネル１０の外観を模式的に示す平面図であり、図３（ａ）はパネル１０を背面基板３１側から見た図であり、図３（ｂ）は前面基板２１側から見た図である。パネル１０の前面基板２１および背面基板３１は矩形状であり長辺と短辺を有している。図３（ａ）に示すように、例えば、前面基板２１の短辺左側には走査電極用の電極引出部４１が形成されている。電極引出部４１のそれぞれはｎ本の走査電極２２のそれぞれに接続されている。また、前面基板２１の短辺右側には維持電極用の電極引出部４２が形成されている。電極引出部４２のそれぞれはｎ本の維持電極２３のそれぞれに接続されている。この電極引出部４１、４２はそれぞれ複数のブロックに分かれており、各々のブロックには維持電極用のＦＰＣおよび走査電極用のＦＰＣ（ともに図示せず）が接続される。また図３（ｂ）に示すように、例えば、背面基板３１の長辺下側にはデータ電極用の電極引出部４４が形成されている。電極引出部４４のそれぞれはｍ本のデータ電極３２のそれぞれに接続されている。この電極引出部４４も複数のブロックに分かれており、各々のブロックにはデータ電極３２を駆動するためのモジュール５０が接続される。なお、データ電極３２が５７６０本、１個あたりのモジュールの出力数が３８４出力であれば、背面基板３１の長辺下側に１５個のモジュール５０が接続される。
【００１９】
図４は、本発明の実施の形態におけるモジュール５０の詳細を示す図である。モジュール５０は、画像表示パネルの複数の電極を駆動するＩＣチップ７０および放熱板７６と、ＩＣチップ７０の複数の出力を対応するデータ電極３２に伝達する複数の導線６２を形成したＦＰＣ５２を有する。またＦＰＣ５２には、導線６２を横断しない方向、言い換えれば導線６２に沿う方向に複数のスリット、本実施の形態においては２つのスリット５４を設けている。さらにＦＰＣ５２には、導線６２を横断する方向、言い換えれば導線６２と交差する方向に折り曲げ溝５６を設けている。そしてＦＰＣ５２の一方の端部にはＩＣチップ７０の出力側に接続された複数の出力端子５８が形成されている。この出力端子５８は、パネル１０のデータ電極用の電極引出部４４のそれぞれに異方導電性接着剤等を用いて接続するためのものである。ＦＰＣ５２のもう一方の端部にはＩＣチップ７０の入力側に信号を入力するための入力端子５９が形成されている。この入力端子５９は、モジュール５０を駆動する回路基板に接続するためのものである。なお、図４には、２個のＩＣチップ７０と２２個の出力端子５８と、２２本の導線６２とを示しているが、これらの数値はパネル１０の仕様やＩＣチップ７０の仕様等により適宜決められており、本実施の形態においては、例えば導線６２の数は３８４本である。また、ＩＣチップ７０の入力側と入力端子５９とを繋ぐ導線も設けられているが、図面を見やすくするために図４では省略している。
【００２０】
図５は、本発明の実施の形態におけるモジュール５０のスリット５４および折り曲げ溝５６とＩＣチップ７０の実装の詳細とを示す図であり、図５（ｂ）は図５（ａ）のＡ−Ａ線に沿った断面図、図５（ｃ）は図５（ａ）のＢ−Ｂ線に沿った断面図、図５（ｄ）は図５（ａ）のＣ−Ｃ線に沿った断面図をそれぞれ示している。
【００２１】
ＦＰＣ５２は、フレキシブルな屈曲性を有する樹脂フィルム６０と、樹脂フィルム６０の一方の面に貼り付けた銅箔をエッチングして形成した導線６２と、導線６２を保護するためのレジスト膜６８とからなる。そしてスリット５４は導線６２を横断しない方向、本実施の形態においては導線６２と略平行する方向に設けられており、図５（ｂ）に示すように、スリット５４の部分には樹脂フィルム６０、導線６２、レジスト膜６８は存在しない。一方、折り曲げ溝５６は導線６２を横断する方向、本実施の形態においてはスリット５４と略直交する方向に設けられているので、図５（ｃ）に示すように、折り曲げ溝５６の部分では樹脂フィルム６０が除去されており、代わりに導線６２を保護するためのレジスト膜６８が形成されている。このような折り曲げ溝５６を設けることにより、ＦＰＣ５２を折り曲げ溝５６に沿って容易に折り曲げることができる。また折り曲げ溝５６は、スリット５４の先端から少なくとも１ｍｍ内側の位置に形成されていることが望ましく、本実施の形態においては１．５ｍｍ内側の位置に形成されている。
【００２２】
図５（ｄ）に示すように、モジュール５０にはデータ電極３２を駆動するためのＩＣチップ７０が搭載されている。ＩＣチップ７０には入出力端子としてＡｕ等からなる突起電極が設けられており、その突起電極をＦＰＣ５２の開口部に露出した配線部分に共晶接続することにより実装されている。そして、ＩＣチップ７０を覆うようにエポキシ樹脂等の樹脂７２を充填し、機械的なダメージからＩＣチップ７０を保護している。樹脂７２が塗布された面の反対側にはＩＣチップ７０の放熱のための放熱板７６が耐熱性の両面接着テープ等により接着されている。放熱板７６には、ＩＣチップ７０が嵌り込む凹部が設けられており、その凹部にＩＣチップ７０が配置されるとともに、熱伝導性コンパウンドや熱伝導性接着剤等の熱伝導性部材７４が充填されている。また放熱板７６には、プラズマディスプレイ装置のシャーシ等にモジュール５０を固定するためのネジ穴が設けられている。
【００２３】
図６は、本発明の実施の形態におけるプラズマディスプレイ装置１００の構造を示す分解斜視図である。図６には、複数のモジュール５０が取り付けられたパネル１０と、モジュール５０を駆動する回路基板８４と、回路基板８４を取り付けたシャーシ８２と、これらを収納する前面枠８６およびバックカバー８８とを示している。なお、図面を煩雑にしないために、パネル保護板、熱伝導シート、シャーシ補強部材等は示していない。また電源回路ブロック、走査電極駆動回路、維持電極駆動回路、タイミング発生回路等も省略している。パネル１０に取り付けられたそれぞれのモジュール５０の入力端子５９は、回路基板８４に設けられた対応するコネクタ９０のそれぞれに接続される。本実施の形態においては、パネル１０の下側に接続されたモジュール５０のＦＰＣ５２をシャーシ８２を越えて折り返し、モジュール５０の入力端子５９が回路基板８４のコネクタ９０に接続されている。
【００２４】
次に、スリット５４の作用について説明する。図７（ａ）は、本発明の実施の形態におけるモジュール５０のスリット５４の作用を説明するための図である。なお図７（ｂ）は比較のための図であり、スリットを設けていない従来例におけるモジュールの図である。
【００２５】
モジュール５０の放熱板７６は、ビス等でシャーシ８２に固定されて取り付けられ、入力端子５９は回路基板８４のコネクタ９０に接続されている。一方モジュール５０の出力端子５８側はパネル１０の電極引出部４４に接続されている。このようにモジュール５０の一方はガラス製のパネル１０に固定され、もう一方はアルミニウム製のシャーシ８２に固定されている。そのためパネル１０とシャーシ８２とが相対的にずれるとモジュール５０に捩れが発生する。実際、アルミニウムの熱膨張率はガラスの熱膨張率よりも大きいため、パネル１０とシャーシ８２とが所定の温度から同じ温度だけ上昇すると仮定すると、シャーシ８２はパネル１０に比べて膨張する量が大きくなる。例えば６５吋のハイビジョン仕様のプラズマディスプレイ装置において、パネル１０とシャーシ８２とが１０℃上昇したと仮定すると、シャーシ８２はパネル１０よりもおよそ０．１ｍｍ膨張することになる。
【００２６】
プラズマディスプレイ装置の実使用時には、数十度の温度差が発生する。すると、パネル１０の電極引出部４４に接続されたＦＰＣ５２の一方の端部と放熱板７６との相対的な位置が変化し、図６において、特に回路基板８４の左端および右端に配置されたコネクタ９０に接続されるモジュール５０に捩れが発生することになる。またこの傾向は、パネル１０およびシャーシ８２が大型化するに伴い顕著となる。
【００２７】
このとき、仮にスリット５４が設けられていない従来のＦＰＣ９２を用いたと仮定すると、図７（ｂ）に示したように、モジュールに発生した捩れのために、ＦＰＣ９２に大きなストレスが加わり、このストレスを繰り返し受けることでＦＰＣ９２に亀裂が発生し、導線６２が断線する可能性がある。しかしながら本実施の形態においては、図７（ａ）に示したように、モジュール５０のＦＰＣ５２にスリット５４が形成されているため、たとえモジュール５０に捩れが発生してもストレスが分散され、ＦＰＣ５２に大きなストレスが加わることはない。このとき効果的にストレスを分散させるためには、スリット５４のそれぞれは、折り曲げ溝５６のそれぞれを横断しさらに伸長した形状を有することが必要であり、少なくとも１ｍｍ以上伸長した形状を有することが望ましい。
【００２８】
上述したように、モジュール５０の捩れはパネル１０とシャーシ８２との相対的な位置ずれにより発生するが、パネル１０の温度およびシャーシ８２の温度は環境温度や表示する画像により変化するため、パネル１０とシャーシ８２との相対的なずれの予測や制御は難しい。特に、データ電極３２を駆動するＩＣチップ７０を搭載したモジュール５０をシャーシ８２に固定すると、シャーシ８２の温度はパネル１０の温度だけでなくＩＣチップ７０の発熱の影響を大きく受けることになる。そしてＩＣチップ７０の発熱が大きくなる画像信号とパネル１０の発熱が大きくなる画像信号とは異なるため、パネル１０とシャーシ８２との相対的なずれの予測や制御は事実上不可能となり、それに伴うモジュール５０の捩れも予測不可能となる。しかし本実施の形態によればモジュール５０のＦＰＣ５２にはスリット５４が形成されており、たとえモジュール５０に捩れが発生してもＦＰＣ５２に加わるストレスを分散させることができるので、ＦＰＣ５２に亀裂が発生することがなく、断線が発生する恐れもなくなる。
【００２９】
なお、本実施の形態においては、スリット５４を２個設けたモジュール５０の図面を用いて説明したが、スリットの数やその間隔はこれに限定されるものではなく、スリットの数を増やすほどＦＰＣに加わるストレスを分散させることができるので、可能な範囲で多くのスリットを設けることが望ましい。
【００３０】
また、スリット５４を補強するために、スリット５４に補強部材を設けてもよい。図８は、本実施の形態における補強部材６４の形状を示す模式図である。本実施の形態においては、補強部材６４として、スリット５４の周囲にスリット５４の全体を取り囲むように環状の銅箔を３重に形成している。上述したように、導線６２は樹脂フィルム６０の一方の面に貼り付けた銅箔をエッチングして形成するが、このとき図８に示した補強部材６４を同時に形成している。この補強部材６４は、必ずしもスリット５４を取り囲むように環状形成する必要はないが、図９に示したように、少なくともスリット５４の端部を囲む形状に設けることが望ましい。このような補強部材６４を設けることでスリット５４の端部で亀裂が発生するのを防ぐ効果がある。
【００３１】
また、本実施の形態においては、モジュール５０の放熱板７６は、シャーシ８２に固定されているものとして説明したが、本発明はこれに限定されるものではなく、例えば、シャーシにさらに第２の放熱板を設け、それにモジュール５０の放熱板７６を固定する等の構造であってもよい。
【００３２】
また、本実施の形態においては、データ電極用の電極引出部４４は背面基板３１の長辺下側に形成されており、モジュール５０もパネル１０の下側に接続されているものとして説明した。しかし本発明はこれに限定されるものではなく、データ電極用の電極引出部４４がパネル１０の長辺上側に形成されていてもよく、また上側および下側の両方に形成されていてもよい。
【００３３】
また、本実施の形態においては、１つのモジュール５０に２個のＩＣチップ７０が実装されている図面を用いて説明したが、本発明はこれに限定されるものではなく、さらに折り曲げ溝５６の数等に限定されるものでもない。
【００３４】
また、本実施の形態において用いた具体的な数値等は、単に一例を挙げたに過ぎず、パネルの特性やプラズマディスプレイ装置の仕様等に合わせて、適宜最適な値に設定することが望ましい。
【産業上の利用可能性】
【００３５】
本発明は、大画面パネルであってもＦＰＣの断線の恐れがないので、プラズマディスプレイ装置として有用である。
【図面の簡単な説明】
【００３６】
【図１】本発明の実施の形態に用いるパネルの要部を示す分解斜視図
【図２】本発明の実施の形態に用いるパネルの電極配列図
【図３】本発明の実施の形態に用いるパネルの外観を模式的に示す平面図
【図４】本発明の実施の形態におけるモジュールの詳細を示す図
【図５】本発明の実施の形態におけるモジュールのスリットおよび折り曲げ溝とＩＣチップの実装の詳細とを示す図
【図６】本発明の実施の形態におけるプラズマディスプレイ装置の構造を示す分解斜視図
【図７】（ａ）は本発明の実施の形態におけるモジュールのスリットの作用を説明するための図、（ｂ）はスリットを設けていない従来例におけるモジュールの図
【図８】本発明の実施の形態における補強部材の形状を示す模式図
【図９】本発明の実施の形態における補強部材の他の形状を示す模式図
【符号の説明】
【００３７】
１０    パネル
２１    前面基板
２２    走査電極
２３    維持電極
２４    表示電極対
３１    背面基板
３２    データ電極
４４    （データ電極用の）電極引出部
５０    モジュール
５２    ＦＰＣ（フレキシブル配線基板）
５４    スリット
５６    折り曲げ溝
６０    樹脂フィルム
６２    導線
６４    補強部材
６８    レジスト膜
７０    ＩＣチップ
７６    放熱板
８２    シャーシ
８４    回路基板
８６    前面枠
８８    バックカバー
９０    コネクタ
９２    （従来の）ＦＰＣ
１００    プラズマディスプレイ装置
【図１】
2008298828.tif 000003
【図２】
2008298828.tif 000004
【図３】
2008298828.tif 000005
【図４】
2008298828.tif 000006
【図５】
2008298828.tif 000007
【図６】
2008298828.tif 000008
【図７】
2008298828.tif 000009
【図８】
2008298828.tif 000010
【図９】
2008298828.tif 000011